(57)【要約】  本発明は、帯域幅制御信号に基づく帯域幅制御が備えられた集積化増幅器用の同期回路に関し、前記同期回路は、制御信号用の制御端子と、内部制御信号に接続され、前記内部制御信号が、前記制御信号と比べて所定のランキング基準に従ってより高いランクを有する場合、前記内部制御信号を、前記制御端子に対してエンボス（emboss）するように構成されているランクセレクタ手段と、を備える。さらに、本発明は、複数の回路向けの共通制御信号を連続的に通信および同期するための、それぞれの同期方法に関する。本発明の１つの好適な適用は、増幅器ごとに１つのみの追加の端子ピンによる、複数のクラスＡＢ増幅器のための、同期された帯域幅制御による温度保護にある。このような複数チャンネル増幅器構成において、最も高温な増幅器は、帯域幅削減の量を決定（dictate）する。本発明によって、個別の増幅器は、それぞれの個別の温度について通信を行うことができ、これにより、実際の最も高温な増幅器の温度およびそれぞれの必要な帯域幅削減が決定され、同期された帯域幅削減のために、それぞれの個別の増幅器に提供される。よって、３チャンネルＲＧＢ増幅器において、信号の完全性が有利に維持される。
2008529383.tif 000002
【特許請求の範囲】
【請求項１】
帯域幅制御信号に基づく帯域幅制御が備えられた集積化増幅器用の同期回路であって、
―制御信号用の制御端子と、
―内部制御信号に接続され、前記内部制御信号が、前記制御信号と比べて所定のランキング基準に従ってより高いランクを有する場合、前記内部制御信号を、前記制御端子に対してエンボス（emboss）するように構成されているランクセレクタ手段と、
を備えることを特徴とする回路。
【請求項２】
前記ランキング基準は、最小基準であり、前記ランクセレクタ手段は、前記制御信号の実際のレベルが、前記内部制御信号の実際のレベルよりも高い場合、前記内部制御信号を、前記制御端子に対してエンボスするために構成されている、ことを特徴とする請求項１に記載の回路。
【請求項３】
前記ランクセレクタ手段は、単一フィードバックと、制限された電流ソーシング（sourcing）能力とを有する増幅器である、ことを特徴とする請求項２に記載の回路。
【請求項４】
前記ランク基準は、最大基準であり、前記ランクセレクタ手段は、前記制御信号の実際のレベルが、前記内部制御信号の実際のレベルよりも低い場合、前記内部制御信号を、前記制御端子に対してエンボスするために構成されている、ことを特徴とする請求項１に記載の回路。
【請求項５】
前記ランクセレクタ手段は、単一フィードバックと、制限された電流シンキング（sinking）能力とを有する増幅器である、ことを特徴とする請求項４に記載の回路。
【請求項６】
前記同期回路は、前記集積化増幅回路内で実現され、前記集積化増幅回路は、クラスＡＢ増幅器である、ことを特徴とする請求項１乃至請求項５のいずれかに記載の回路。
【請求項７】
前記内部制御信号は、前記集積化増幅回路の実際の温度に対応しており、前記帯域幅は、温度保護のために、前記制御信号に基づいて調整される、ことを特徴とする請求項６に記載の回路。
【請求項８】
前記制御端子は、少なくとも１つのさらなる同期回路における１または複数のそれぞれの制御端子に、接続可能である、ことを特徴とする請求項１乃至請求項７のいずれかに記載の回路。
【請求項９】
前記制御端子は、外部制御信号レベルの設定用に指定された外部制御信号に、接続可能である、ことを特徴とする請求項１乃至請求項８のいずれかに記載の回路。
【請求項１０】
複数の回路に対する共通制御信号を、連続的に通信し且つ同期するための同期方法であって、
―前記回路のそれぞれにおいて、それぞれの内部制御信号を生成するステップと、
―前記回路のそれぞれ内部で、前記それぞれの内部制御信号を、前記実際の共通制御信号と連続的に比較するステップと、
―前記それぞれの内部制御信号の実際のレベルが、前記共通制御信号の実際のレベルよりも高い場合、前記実際の共通制御信号が、前記それぞれの内部制御信号の最大レベルを有するように、前記実際の共通制御信号を、前記それぞれの内部制御信号に対して調整するステップと、
を備えることを特徴とする方法。
【請求項１１】
前記調整するステップは、前記それぞれの内部制御信号の実際のレベルが、前記共通制御信号の実際のレベルよりも低い場合、前記実際の共通制御信号が、前記それぞれの内部制御信号の最小値を有するように変更される、ことを特徴とする請求項１０に記載の方法
【請求項１２】
同期した前記共通制御信号を、前記回路のそれぞれの内部で使用して、前記回路のそれぞれの特性の同期調整をするステップをさらに備える、ことを特徴とする請求項１０または請求項１１に記載の方法
【請求項１３】
前記回路は、増幅回路であり、前記特性は、前記それぞれの増幅回路のそれぞれの帯域幅であり、前記制御信号を使用して、前記それぞれの増幅回路の前記それぞれの帯域幅の同期調整をする、ことを特徴とする請求項１０乃至請求項１２のいずれかに記載の方法
【請求項１４】
請求項１乃至請求項９のいずれかに記載の同期回路を有する複数の増幅回路を備える電子デバイスであって、
前記同期回路は、前記制御端子において互いに接続されている、ことを特徴とする電子デバイス。
【請求項１５】
前記増幅回路は、請求項１０乃至請求項１３のいずれかに記載の方法によって制御される同期した帯域幅削減を有する、ことを特徴とする請求項１４に記載の電子デバイス。
【請求項１６】
前記電子デバイスは、陰極線管ディスプレイであり、前記複数の増幅回路は、前記陰極線管の個別のカソードを駆動するための、それぞれ個別のビデオ増幅器である、ことを特徴とする請求項１４または請求項１５に記載の電子デバイス。
【発明の詳細な説明】
【技術分野】
【０００１】
本発明は、請求項１に係る集積化増幅器用の同期回路、請求項１０に係る同期方法、および請求項１４に係る電子デバイスに関する。
【背景技術】
【０００２】
増幅器、特にクラスＡＢ増幅器は、静止中に回路に流れる電流を超える信号出力電流を供給する能力を有する。加えて、容量性負荷により、信号出力電流のレベルが、信号周波数と共に増加する。よって、出力トランジスタ内の電力消失が、信号周波数と共に増加し、これは一方で、電力消失の自己加熱効果により、増幅器の温度増加を引き起こす。すなわち、電力消失は、半導体素子の接合温度を決定する主な原因である。さらなる重要な原因は、増幅器が使用される環境の温度である。高温環境での過剰な接合温度を防ぐために、増幅回路に温度保護を加えることができ、温度保護は、接合温度が高くなりすぎる前に、増幅器の電力消失を減少させるように指定されている。
【０００３】
複数の増幅器が並列のチャンネルにおいて使用され、各増幅器がそれ自体の温度を有する適用が存在する。例えば、陰極線管（ＣＲＴ）ディスプレイにおいて、３つの個別のビデオ出力増幅器が、ＣＲＴの個別の、すなわち赤、緑、および青のカソードを直接駆動する。信号の完全性、特に色バランスを維持するために、温度保護を、全ての並列チャンネルに対して同じ程度で同時に作用させることが望ましい。
【０００４】
特に容量負荷を有する増幅器における、既知の保護スキーム第１のアプローチは、電力消失が、信号周波数と共に増加することに関連する。従って、電力消失を減少させるやり方は、温度が特定のレベルよりも高くなった場合に、増幅器の帯域幅を減少させることである。これは、多くのやり方で行うことができる。例えば、閉ループ帯域幅が、開ループ利得に対して直線の関係を有する、全体的なフィードバックを有する増幅器において、開ループ利得を削減することにより、それに応じて帯域幅も削減される。
【発明の開示】
【発明が解決しようとする課題】
【０００５】
米国特許第５，９９４，９５８号は、増幅器の供給電流を分析し、それぞれの増幅器の入力に到着する前に入力信号の帯域幅を制限する帯域幅削減回路に対する、制御信号を生成することによって、ビデオ出力増幅器での電力消失を制御するための方法を述べている。温度を実際に検知する代わりに、ダイ温度に関する指標として供給電流が用いられ、これは、より低精度である。さらに、帯域幅制御信号の同期のために、個別の増幅器の決定温度の荷重合計が用いられる。しかし、この解決策は、より多くの増幅器が高い温度を有している場合、各増幅器の個別の温度に全く問題がなくても、温度保護がより低い温度で活動化される、という欠点を被る。
【０００６】
本発明の目的は、１つのみの端子ピンを犠牲にして複数の回路の共通制御信号を同期させる、同期回路を提供することである。特に、本発明の目的は、１つのみの制御ピンを犠牲にして複数の増幅器の間で同期される、帯域幅削減による温度保護を有する、集積化増幅回路用の同期回路を提供することである。
【０００７】
本発明の他の目的は、複数の回路向けの共通制御信号を連続的に通信および同期するための同期方法を提供することである。特に、本発明の他の目的は、温度保護を目的として、複数の増幅器において同期された帯域幅削減を行うために、共通帯域幅制御信号を同期するための同期方法を提供することである。
【課題を解決するための手段】
【０００８】
本発明の全てまたは特定の目的は、次の回路によって解決される。帯域幅制御信号に基づく帯域幅制御が備えられた集積化増幅器用の同期回路であって、前記同期回路は、制御信号用の制御端子と、内部制御信号に接続され、前記内部制御信号が、前記制御信号と比べて所定のランキング基準に従ってより高いランクを有する場合、前記内部制御信号を、前記制御端子に対してエンボス（emboss）するように構成されているランクセレクタ手段と、を備える。
【０００９】
本発明の全てまたは特定の目的は、次の方法によって解決される。複数の回路向けの共通制御信号を連続的に通信および同期するための同期方法であって、前記方法は、前記回路のそれぞれにおいて、それぞれの内部制御信号を生成するステップと、前記回路のそれぞれ内で、前記それぞれの内部制御信号を、前記実際の共通制御信号と連続的に比較するステップと、前記それぞれの内部制御信号の実際のレベルが、前記共通制御信号の実際のレベルよりも高い場合、前記実際の共通制御信号が、前記それぞれの内部制御信号の最大レベルを有するように、前記実際の共通制御信号を、前記それぞれの内部制御信号に対して調整するステップと、を備える。前記方法の前記調整するステップは、前記それぞれの内部制御信号の実際のレベルが、前記共通制御信号の実際のレベルよりも低い場合、前記実際の共通制御信号が、前記それぞれの内部制御信号の最小値を有するように変更することができる。
【００１０】
本発明の基本的なアイディアは、複数の回路、例えば複数の個別の集積化増幅器において、共通制御信号、例えば共通帯域幅制御信号を、前記共通制御信号が存在する１つのみの制御端子ピンまたは導線を犠牲にして、同期することである。好ましくは、前記内部制御信号は、前記増幅回路の実際の温度に対応し、これにより例えば、前記増幅器の帯域幅を、温度保護の目的で、有利に調整することができる。その上、前記制御端子は、本発明のさらなる同期回路の１つまたは複数のそれぞれの制御端子に、有利に接続可能である。よって、例えば、温度保護のための前記同期された帯域幅削減は、実際の最も高温な増幅器によって制御される。あるいは、前記制御端子を、外部制御信号レベルの設定用に指定された外部制御信号に接続することもできる。
【００１１】
本発明の第１の実施形態によると、前記ランキング基準は、最小基準であり、前記ランクセレクタ手段は、前記帯域幅制御信号の実際のレベルが、前記内部制御信号の実際のレベルよりも高い場合、前記内部制御信号を、前記制御端子に対してエンボスするために構成されている。前記ランクセレクタ手段は、その出力での単一フィードバックと、制限された電流ソーシング（sourcing）能力とを有する増幅器、好ましくは電圧増幅器、として実現することもできる。
【００１２】
第２の実施形態によると、前記ランク基準は、最大基準であり、前記ランクセレクタ手段は、前記制御信号の実際のレベルが、前記内部制御信号の実際のレベルよりも低い場合、前記内部制御信号を、前記制御端子に対してエンボスするために構成されている。前記ランクセレクタ手段は、単一フィードバックと、制限された電流シンキング（sinking）能力とを有する増幅器、好ましくは電圧増幅器、として実現することもできる。
【００１３】
すなわち、本発明によると、前記ランクセレクタ手段は、実施されたランキング基準に従って、前記ランクセレクタ手段が、前記制御端子に存在するが他のそれぞれの方向には存在しない前記制御信号の実際のレベルを、すなわち前記最大基準が用いられる場合には増加させ、またはすなわち前記最小基準が用いられる場合には低下させることが、それぞれ可能であるように、構成されている。この同期回路構成によって、前記共通制御信号が存在する１つのみの制御ピンを犠牲にして、詰め込まれた集積回路内の導線またはピンに対応する１つのみの端子を使用して、複数の回路内で制御信号を同期することが可能である。有利なことに、前記制御ピンは、外部制御信号の入力のために使用することもできる。その上、外部制御信号が使用されない場合、本発明に係る前記増幅回路は、それ自体の内部制御信号で、その帯域幅を制御する。
【００１４】
前記方法に関して、同期された前記共通制御信号を、前記回路のそれぞれ内で使用して、前記回路のそれぞれの特性を同期して調整するステップが、さらにあってもよい。一実施形態において、前記回路は、増幅回路であり、前記特性は、前記それぞれの増幅回路のそれぞれの帯域幅であり、前記制御信号を使用して、前記それぞれの増幅回路の前記それぞれの帯域幅を同期して調整する。
【００１５】
本発明に係る前記増幅回路は、好ましくは、異なる個別信号周波数に起因する異なる温度に直面する、本発明に係る同期回路をそれぞれが有する複数の増幅回路を備える電子デバイスにおいて使用することができる。有利なことに、前記同期回路は、前記制御端子において互いに接続することができ、よって、前記増幅回路には、好ましくは本発明に係る方法によって制御された同期された帯域幅削減による温度保護が備えられる。
【００１６】
発明的な増幅回路の最も好適な適用において、このような電子デバイスは、陰極線管ディスプレイであり、前記複数の増幅回路は、前記陰極線管の個別のカソードを駆動するための、それぞれの個別のビデオ増幅器である。
【００１７】
本発明のより大きな利点として、それぞれが並列のチャンネルに存在する、回路の特定の特性の同期制御を、達成することができる。好ましくは、このような回路は、並列配置された同じ種類の回路である。好適な実施形態、複数チャンネル増幅器構成において、最も高温な増幅器は、過熱に対して十分に保護するために、帯域幅削減の量を決定（dictate）することができる。本発明によって、個別の増幅器は、それぞれの個別の温度について、通信することができる。実際の実施に依存する、最大基準または最小基準を有するランクセレクタ手段の使用により、続いて、最も高温の増幅器の温度が決定され、この温度は、要求される帯域幅制御の量に対応する。本発明によって、この情報は、各個別増幅器に供給される。全ての通信は、有利なことに、増幅回路ごとに１つのみの余分なピンによって行うことができ、これは、集積化増幅器を扱う際に、特に関心が持たれることであり、それは、集積化増幅器を扱う際には、ピン数（pin count）は、特に関心が持たれることだからである。
【発明を実施するための形態】
【００１８】
本発明は、添付の図面との関連において、以下の本発明の様々な実施形態の詳細な説明を考察することで、より完全に理解される。
【００１９】
本発明は、様々な変形および代替の形態に修正可能であるが、その詳細を、例として図面に示し、詳細に説明する。しかし、本発明は、述べられる特定の実施形態に本発明を限定するものではないことを理解すべきである。特に、本発明は、本発明の同期回路が実施される増幅回路を参照して説明されるが、同期回路は、同じ利点を提供するいくつもの他の回路において使用できることは当然である。従って、本発明は、添付の特許請求の範囲で定義されるような本発明の範囲内の全ての変形、均等物、および代替案をカバーするものである。
【００２０】
ここで、本発明に係る同期回路が実現される集積化増幅回路１０を示す図１を参照する。図１において、生成手段２０によって内部制御信号が生成され、生成手段２０は、ダイオードスタック２０１を備え、ダイオードスタック２０１は、いくつかのダイオードの直列接続であり、基準電位としてグランドに接続され、電流ソースＩｄの定電流が供給される。ダイオードスタック２０１は、ｎ個のダイオード接合点（junction）を備え、この場合、ｎは６である。ダイオードスタック２０１にかかる電圧は、集積化増幅回路１０の実際の絶対温度に対応し、本発明に係る内部制御信号として使用される。温度の代わりに、他の物理的基準を使用して、それぞれの制御信号を生成することも可能であることに留意されたい。
【００２１】
典型的には、１つの個別ダイオード電圧は、一定部分と、ケルビンごとに約−２．２ｍＶ減少する部分とを有する。ダイオードスタックの一方側で、正の電源＋Ｖｃｃを基準とすると、ダイオードスタックの下側は、正の温度係数、すなわち＋２．２×ｎ［ｍＶ／Ｋ］を有する。図１のように、グランドを基準とすると、ダイオードスタック２０１の上部の電圧は、負の温度係数、すなわち−２．２×ｎ［ｍＶ／Ｋ］を有する。絶対温度に対応するこのような内部制御信号を生成するために、いくつかの他のやり方があることに留意されたい。例えば、ダイオードスタック２０１の代わりに、ベース−エミッタ電圧（ＶＢＥ）乗算器を使用してもよい。この場合、ｎは、非整数値であってもよい。さらに、ダイオード素子の代わりに、ダイオード構成において動作されるバイポーラトランジスタを使用してもよい。
【００２２】
内部制御信号は、ランクセレクタ手段３０に入力され、ランクセレクタ手段３０は、単一フィードバックと、出力ステージ３０１において制限された電流ソーシング（sourcing）能力とを有する、増幅器Ａ１で構成される電圧フォロワによって実現される。この制限された電流ソーシング能力は、ランクセレクタ手段３０として意図される動作を可能にする。詳細には、電圧フォロワの電流ソース能力は、電流ソースＩｒによって供給される電流Ｉｒに限定される。電圧フォロワの出力電圧は、増幅器Ａ１の出力によってベース端子にて制御される、出力ステージ３０１のトランジスタＴ１のコレクタエミッタ電圧である。ランクセレクタ手段３０の出力電圧は、制御端子ＴＰに接続され、制御端子ＴＰは、この適用において、温度保護ピンである。
【００２３】
次いで、制御端子ＴＰでの、信号レベルすなわち電圧が、比較手段４０によって基準電圧Ｖｒｅｆと比較される。図１において、比較手段４０は、電圧増幅器Ａ２であり、基準電圧Ｖｒｅｆは、バンドギャップ回路（図示せず）によって供給される。制御端子ＴＰからの制御信号を、基準電圧Ｖｒｅｆと比較することによって、ダイオード電圧の一定部分が引き去られる。比較手段４０の出力、すなわち、制御信号の差動部分は、必要とされる帯域幅制御についての尺度として使用される。実際の帯域幅制御ノードは、内部に維持され、制御端子ＴＰのみが、他の集積化増幅器の他の同期回路と共有されることに留意すべきである。よって、削減されたピン数の利点が達成される。
【００２４】
少なくとも２つの増幅器向けの制御信号、すなわち帯域幅制御信号の同期の動作を、図２を参照して説明する。まず、集積化増幅器１０ｂは、集積化増幅器１０ａとして、より高い温度を有すると仮定する。よって、内部帯域幅制御信号Ｖａ，Ｖｂについて、結果として、ＶａがＶｂよりも高くなる。従って、左側の出力ステージトランジスタＴ１ａを有する電圧増幅器Ａ１ａは、第２の集積化増幅器１０ｂの制御端子ＴＰｂに相互接続されている、その制御端子ＴＰａにおいて、電圧を増加させようとする。
【００２５】
フィードバックループにより、電圧増幅器Ａ１ａは、その出力トランジスタＴ１ａを通じて、電流を減少させる。このプロセスは、出力トランジスタＴ１ａ内の電流がゼロ（Ｉ＝０）である場合、すなわち、両方の電流ソースＩｒの全電流がトランジスタＴ１ｂを流れる場合に、停止する。この時点で、電圧増幅器Ａ１ａのフィードバックループは、中断される。この瞬間から、右側の電圧増幅器Ａ１ｂは、接続された制御端子ＴＰａおよびＴＰｂでの電圧を、Ｖｂと等しく保つ。すなわち、内部制御信号ＶａおよびＶｂの最小値が、制御端子ＴＰａ，ＴＰｂに存在する。これが、まさに必要とされていることであり、その理由は、この構成において、最小の電圧Ｖｂは、上に仮定された最も高温の集積化増幅器１０ｂの、直接的な尺度だからである。これはまた、最小限の基準に従って共通制御信号を同期させる、発明的なランクセレクタ手段３０ａ，３０ｂを作るために、制限された電流ソーシング能力を有する電圧フォロワを持つことが必須であることの理由を説明する。
【００２６】
図３〜図６は、異なるランクセレクタ手段の実施を示しており、これらは、図３および図４の最小基準に従って構成されており、かつ、図５および図６の最大基準に従って構成されている。上述したように、最小のランクセレクタ手段を作るために、制限された電流ソーシング能力を有することが必須であり、一方で、最大のランクセレクタ手段に対しては、制限された電流シンキング（sinking）能力が必要とされる。図３は、図１の生成手段２０および最小のランクセレクタ手段３０を示すため、簡潔さのために、図３は、さらに詳細には説明しない。
【００２７】
図３との違いとして、図４において、ランクセレクタ手段３２の出力ステージ３２１において、ｐｎｐバイポーラトランジスタＴ２が使用される。従って、生成手段２１によって供給される内部制御信号は、増幅器Ａ１の正の入力端子に接続される。制御端子ＴＰの信号は、増幅器Ａ１の負の入力端子へのフィードバックである。よって、再び、増幅器Ａ１を、電圧フォロワとして使用し、電流ソーシング能力は、電流ソースＩｒの電流に制限される。
【００２８】
図５および図６は、それぞれ、最大のランクセレクタ手段３３および３４に関する実施である。生成手段２２において、ダイオードスタック２２１が使用され、ダイオードスタック２２１は、基準としての正の電源＋Ｖｃｃを有し、すなわち、正の電源＋Ｖｃｃを基準とする。よって、制限された電流シンキング能力を有する電圧フォロワが必要とされ、すなわち、最大基準を有するランクセレクタ手段３３，３４が必要とされる。次いで、それぞれの制御端子ＴＰでの帯域幅制御信号のレベルは、全ての増幅器中で、最大の内部制御信号に対応する。さらに、制御端子ＴＰでの制御信号電圧を、基準電圧Ｖｒｅｆと比較するための増幅器Ａ２（図１）も、反転された入力を有することに留意すべきである。
【００２９】
生成手段２２においては、それぞれのダイオードスタック２２１が、正の供給電圧＋Ｖｃｃに接続されているため、回路全体の絶対温度に対応するそれぞれの内部制御信号は、ここで、正の温度係数を有する。よって、内部制御信号レベルが高いほど、増幅回路全体の実際の温度が高くなる。さらに、増幅器Ａ１で構成されるそれぞれの電圧フォロワは、その出力ステージ３３１または３４１のそれぞれにおいて、バイポーラトランジスタＴ４またはＴ５をそれぞれ有し、バイポーラトランジスタＴ４またはＴ５は、それぞれのエミッタ（Ｔ４）またはコレクタ（Ｔ５）が、正の供給電圧＋Ｖｃｃに接続されており、また、それぞれの電流ソースＩｒによって、グランドに接続されている。よって、出力ステージ３３１，３４１は、必要とされる制限された電流シンキング能力を有し、これは、意図される最大ランク選択機能を提供する。
【００３０】
図３〜図６のランキングセレクタ手段３１，３２，３３および３４のバイポーラトランジスタＴ１，Ｔ２，Ｔ４およびＴ５についても、電界効果トランジスタを代わりに使用してもよいことは、当然である。
【００３１】
図７は、増幅器１１で使用される温度保護の好適な実施形態を示している。増幅器１１の実際の温度に対応する内部制御信号を生成するための生成手段２７がある。実際の温度を測定するための好適な実施形態において、ダイオード構成内の６個のバイポーラトランジスタＴＤ１〜ＴＤ６のスタックが使用され、これらに、電流ソースＩｄによって定電流が供給される。
【００３２】
内部制御信号は、負の入力端子を介して増幅器Ａ１に接続される。増幅器Ａ１は、差動増幅器タイプであり、既知の電流ミラー構成における２つのバイポーラトランジスタＴ７，Ｔ８のベース電流ミラーＣＭで構成されており、負の入力端子（−）は、第１の電界効果トランジスタＭ１のゲートによって形成され、正の端子は、第２の電界効果トランジスタＭ２のゲートによって形成されている。両方の電界効果トランジスタＭ１およびＭ２は、共通のソース端子を有し、この端子において、差動増幅器は、電流ソースＩＡ１によって定電流が供給される。電界効果トランジスタＭ１は、電流ミラーＣＭのバイポーラトランジスタＴ７のコレクタと相互接続され、相互接続ノードは、出力ステージバイポーラトランジスタＴ１のベースに接続され、トランジスタＴ１は、そのコレクタにより、制御端子ＴＰ、差動増幅器Ａ１の正の入力（＋）に、そして電流ソースＩｒに接続される。再び、出力ステージ３７１における電流ソースＩｒは、ランクセレクタ手段３７の要求される制限さえた電流ソーシング能力を提供する。
【００３３】
制御端子ＴＰに存在する制御信号は、比較手段４７に接続され、比較手段４７は、差動増幅器Ａ２により構成されており、差動増幅器Ａ２は、電流ソースＩＡ２と、２つのバイポーラトランジスタＴ９，Ｔ１０とにより構成されている。増幅器Ａ２を用いて、制御信号の一定部分が引き去られる。このために、好ましくはバンドギャップ電圧である、印加可能な基準電圧Ｖｒｅｆが使用される。よって、結果としての帯域幅制御信号ＣＲＴＬは、単独で、制御端子ＴＰに存在する制御信号の差動部分に対応する。
【００３４】
帯域幅制御信号ＣＲＴＬは、集積化増幅器１１のクラスＡＢ増幅部ＡＢに接続される。クラスＡＢ増幅部ＡＢは、帯域幅制御信号ＣＲＴＬに従って帯域幅が制御可能となるように構成されている。回路の動作に関しては、適宜に図１の描写が参照され、これは、基本的に図７にも当てはまる。
【００３５】
本発明によって、帯域幅制御信号に基づく帯域幅制御が備えられた集積化増幅器用の同期回路が開示され、前記同期回路は、制御信号用の制御端子と、内部制御信号に接続され、前記内部制御信号が、前記制御信号と比べて所定のランキング基準に従ってより高いランクを有する場合、前記内部制御信号を、前記制御端子に対してエンボス（emboss）するように構成されているランクセレクタ手段と、を備える。さらに、本発明は、複数の回路向けの共通制御信号を連続的に通信および同期するための、それぞれの同期方法を提供する。
【００３６】
本発明の１つの好適な適用は、増幅器ごとに１つのみの追加の端子ピンによる、複数のクラスＡＢ増幅器における、同期された帯域幅制御のための、温度保護回路である。このような複数チャンネル増幅器構成において、最も高温な増幅器は、複数の増幅器の全てにおける帯域幅削減の量を、決定（dictate）することができる。換言すると、本発明によって、個別の増幅器は、それぞれの個別の温度について通信を行うことができ、これにより、実際の最も高温な増幅器の温度およびそれぞれの必要な帯域幅削減が決定され、同期された帯域幅削減のために、それぞれの個別の増幅器に提供される。例えば、３チャンネルＲＧＢ増幅器構成において、信号の完全性を有利に維持することができる。特に、本発明の原理は、容量負荷を有し、自己加熱を被る全ての種類のクラスＡＢ増幅器に適用することができる。
【００３７】
最後であるが重要なことに、用語“備える”は、特許請求の範囲を含む明細書内で使用される場合、述べられた特徴、手段、工程または構成要素の存在を規定することを意図しているが、１つまたは複数の他の機能、手段、工程、構成要素またはそれらのグループの存在または追加を除外しないことに留意すべきである。さらに、請求項において要素に先行する“１つの”という語は、そのような要素が複数存在することを除外しない。その上、どの参照符号も、請求項の範囲を限定しない。さらにまた、“結合された”とは、結合されたこれらの要素の間に、電流パスがあると理解すべきであり、すなわち、“結合された”は、これらの要素が、直接接続されていることを意味しないことに留意すべきである。
【図面の簡単な説明】
【００３８】
【図１】図１は、本発明に係る増幅回路を示している。
【図２】図２は、共通制御端子において相互接続された、本発明の２つの増幅器を示している。
【図３】図３は、最大ランクセレクタの例を示している。
【図４】図４は、最大ランクセレクタの代わりの実施を示している。
【図５】図５は、最小ランクセレクタの例を示している。
【図６】図６は、最小ランクセレクタの代わりの実施を示している。
【図７】図７は、本発明の好適な実施形態の概略を示している。
【図１】
2008529383.tif 000003
【図２】
2008529383.tif 000004
【図３】
2008529383.tif 000005
【図４】
2008529383.tif 000006
【図５】
2008529383.tif 000007
【図６】
2008529383.tif 000008
【図７】
2008529383.tif 000009
【国際調査報告】
2008529383.tif 000010
2008529383.tif 000011
2008529383.tif 000012